(57)【特許請求の範囲】
【請求項１】
建物外壁体の開口部に建具枠を取付けた建具を備えた建物であって、
木材より成る左右の柱と上横材と下横材とで矩形状の開口部とし、
前記柱、上横材、下横材は、その内側面における室外側部が切欠き加工されて室外側に向かう段差部を有し、この各段差部が４周連続して建具枠の取付部を形成し、
金属より成る左右の縦枠と上枠と下枠とで矩形状の建具枠とし、
前記縦枠、上枠、下枠は、本体部と、その本体部に外向きに設けた取付片と、前記本体部におけるこの取付片よりも室外側寄りに設けたシール材受け部を備え、
前記各段差部に螺合した室内外側方向に向かう取付用ねじで、前記各取付片を各段差部に固着して建具枠を開口部内に収納して取り付け、
前記取付片の取付部分は水密材で水密されていると共に、前記シール材受け部と前記開口部の内周面との間がシール材で水密され、
前記建物外壁体の外壁材、内装材は左右の柱、上横材、下横材の外側面に取り付けられて真壁納りであることを特徴とする建具を備えた建物。
【請求項２】
左右の柱の内側面、上横材の内側面に、縦枠、上枠の室内側面が当接する部分を設けた請求項１記載の建具を備えた建物。
【請求項３】
建物外壁体の開口部に建具枠を取付けた建具を備えた建物であって、
木材より成る左右の柱と上横材と下横材とで矩形状の開口部とし、
前記左右の柱と上横材は、その内側面が室内外側方向に連続した平坦面で、その各内側面に建具枠を取付ける取付部材を、その室外側面が建具枠の取付部となるようにそれぞれ有し、
前記下横材は、その内側面における室外側部が切欠き加工されて室外側に向かう段差部を有し、この段差部が建具枠の取付部を形成し、
金属より成る左右の縦枠と上枠と下枠とで矩形状の建具枠とし、
前記縦枠、上枠、下枠は、本体部と、その本体部に外向きに設けた取付片と、前記本体部におけるこの取付片よりも室外側寄りに設けたシール材受け部を備え、
前記各取付部材の室外側面と段差部に螺合した室内側方向に向かう取付用ねじで、各取付片を各取付部材の室外側面、段差部に固着することで、建具枠は開口部内に収納して取付けられ、
前記取付片の取付部分は水密材で水密されていると共に、前記シール材受け部と前記開口部の内周面との間がシール材で水密され、
前記建物外壁体の外壁材、内装材は左右の柱、上横材、下横材の外側面に取り付けられて真壁納りであることを特徴とする建具を備えた建物。
【請求項４】
左右の柱の内側面、上横材の内側面に、各取付部材の室内側面を覆う覆部材を取付けした請求項３記載の建具を備えた建物。
【発明の詳細な説明】
【技術分野】
【０００１】
本発明は、建物外壁体の開口部に、建具の建具枠を取付けた建具を備えた建物に関する。
【背景技術】
【０００２】
従来、建物外壁体の出入口用の開口部、窓用の開口部に建具の建具枠を取付け、その建具枠にドア、障子、ガラスパネル等の面材を装着して建具とした建具を備えた建物が知られている。
例えば、特許文献１に開示したように、建具の建具枠を、その取付部を建物外壁体の開口部周縁の室外側面に固着具で固着して建具枠を開口部に取付けた建物が知られている。
【特許文献１】特開平１１−３４３７７７号公報
【発明の開示】
【発明が解決しようとする課題】
【０００３】
近年、木構造を基本とした建物（住宅）が研究されている。
例えば、建物外壁体の開口部を木材によって構成し、建物外壁体の外壁材、内装材を真壁納りとして開口部を構成する木材の室内側面、室外側面が露出して目視できるようにすることが考えられている。
しかしながら、開口部に建具枠を前述した従来のようにして取付けた場合には、その建具枠の取付部分から雨水等が室内側に浸入することを防止するために、その取付部分よりも室外側寄りに外壁材を設け、その外壁材と建具枠における取付部よりも室外側寄り部との間をシール材でシールしているので、開口部を構成する木材の室外側面が外壁材とシール材で覆われて目視できない。
【０００４】
本発明の目的は、開口部を構成する木材の室外側面、室内側面が外部に露出して目視できると共に、建具枠の取付部分から雨水等が室内側に浸入することがないようにした建具を備えた建物とすることである。
【課題を解決するための手段】
【０００５】
本発明の第１の建具を備えた建物は、建物外壁体の開口部に建具枠を取付けた建具を備えた建物であって、
木材より成る左右の柱と上横材と下横材とで矩形状の開口部とし、
前記柱、上横材、下横材は、その内側面における室外側部が切欠き加工されて室外側に向かう段差部を有し、この各段差部が４周連続して建具枠の取付部を形成し、
金属より成る左右の縦枠と上枠と下枠とで矩形状の建具枠とし、
前記縦枠、上枠、下枠は、本体部と、その本体部に外向きに設けた取付片と、前記本体部におけるこの取付片よりも室外側寄りに設けたシール材受け部を備え、
前記各段差部に螺合した室内外側方向に向かう取付用ねじで、前記各取付片を各段差部に固着して建具枠を開口部内に収納して取り付け、
前記取付片の取付部分は水密材で水密されていると共に、前記シール材受け部と前記開口部の内周面との間がシール材で水密され、
前記建物外壁体の外壁材、内装材は左右の柱、上横材、下横材の外側面に取り付けられて真壁納りであることを特徴とする建具を備えた建物である。
【０００９】
前述した本発明の第１の建具を備えた建物においては、左右の柱の内側面、上横材の内側面に、縦枠、上枠の室内側面が当接する部分を設けることができる。
このようにすれば、縦枠、上枠を室内外側方向に位置決めできるし、室内側から見た時に縦枠、上枠の室内側面が目立つことがなく、当接する部分が目立つので、見栄えが良い。
【００１０】
本発明の第２の建具を備えた建物は、建物外壁体の開口部に建具枠を取付けた建具を備えた建物であって、
木材より成る左右の柱と上横材と下横材とで矩形状の開口部とし、
前記左右の柱と上横材は、その内側面が室内外側方向に連続した平坦面で、その各内側面に建具枠を取付ける取付部材を、その室外側面が建具枠の取付部となるようにそれぞれ有し、
前記下横材は、その内側面における室外側部が切欠き加工されて室外側に向かう段差部を有し、この段差部が建具枠の取付部を形成し、
金属より成る左右の縦枠と上枠と下枠とで矩形状の建具枠とし、
前記縦枠、上枠、下枠は、本体部と、その本体部に外向きに設けた取付片と、前記本体部におけるこの取付片よりも室外側寄りに設けたシール材受け部を備え、
前記各取付部材の室外側面と段差部に螺合した室内側方向に向かう取付用ねじで、各取付片を各取付部材の室外側面、段差部に固着することで、建具枠は開口部内に収納して取付けられ、
前記取付片の取付部分は水密材で水密されていると共に、前記シール材受け部と前記開口部の内周面との間がシール材で水密され、
前記建物外壁体の外壁材、内装材は左右の柱、上横材、下横材の外側面に取り付けられて真壁納りであることを特徴とする建具を備えた建物である。
【００１１】
前述した本発明の第２の建具を備えた建物においては、左右の柱の内側面、上横材の内側面に、各取付部材の室内側面を覆う覆部材を取付けることができる。
このようにすれば、室内側から見た時に取付部材が見えないので、見栄えが良い。
【発明の効果】
【００１２】
本発明によれば、開口部を構成する木材の室外側面、室内側面が外部に露出して目視できる。
したがって、建具枠の周囲に木材が見える外観、内観となるので、木構造を基本として建物として好ましい。
また、開口部内の建具枠の取付部分が水密され、それよりも室外側寄りの建具枠と開口部との間が水密されているので、建具枠の取付部分から雨水等が室内側に浸入することがない。
また、建具枠が開口部内に収納して取付けてあるので、建具枠の変形、たわみが生じにくい。
また、柱の取付面に縦枠の取付片、上横材の取付面に上枠の取付片、下枠の取付面に下枠の取付片がそれぞれ固着されるから、柱、上横材、下横材の室内側面、室外側面がそれぞれ目視される。
本発明の第１の建具を備えた建物によれば、柱、上横材、下横材をあらかじめ切欠き加工しておけば、施工現場においては取付用ねじを螺合することで建具枠を開口部に取付けできる。
本発明の第２の建具を備えた建物によれば、左右の柱、上横材が長手方向全長に亘って同一幅とすることができるので、その柱、上横材の室外側面が長手方向全長に亘って同一幅に見え、見栄えが良い。
【発明を実施するための最良の形態】
【００１３】
図１に示すように、建物外壁体１の開口部２に建具の建具枠３が取付けてある。この建具枠３に面材、例えば内障子４、外障子５が装着されて建具としてある。
前記建物外壁体１は、外壁材１０と内装材１１を備え、建物内部と外部を区画している。
前記開口部２は木材によって構成されている。例えば、木材より成る左右の柱２０と、この左右の柱２０間に横架した木材より成る上横材２１と、下横材２２とで矩形状としてある。
前記建具枠３は、金属より成る左右の縦枠３０と、金属製の上枠３１と、金属製の下枠３２を矩形状に連結してある。
【００１４】
前記縦枠３０、上枠３１、下枠３２は、図２、図３に示すように室内外側方向に向かう本体部３０ａ，３１ａ，３２ａと、この本体部３０ａ，３１ａ，３２ａの室内外側方向中間に外向きに設けた取付片３０ｂ，３１ｂ，３２ｂと、前記本体部３０ａ，３１ａ，３２ａにおけるこの取付片３０ｂ，３１ｂ，３２ｂよりも室外側寄りに設けたシール材受け部３０ｃ，３１ｃ，３２ｃを備えている。
前記建具枠３は開口部２内に挿入され、その建具枠３の室外側面３ａと開口部２の室外側面２ａがほぼ面一、好ましくは面一で、建具枠３の室内側面３ｂが開口部２の室内側面２ｂよりも室内側に突出しないように収納される。
前記開口部２の室外側面２ａとは、開口部２を構成する木材の室外側面、例えば柱２０の室外側面２０ａ、上横材２１の室外側面２１ａ、下横材２２の室外側面２２ａである。
前記開口部２の室内側面２ｂとは、開口部２を構成する木材の室内側面、例えば柱２０の室内側面２０ｂ、上横材２１の室内側面２１ｂである。
前記建具枠３の室外側面３ａ，室内側面３ｂは、縦枠３０、上枠３１、下枠３２の室外側面３０ｄ，３１ｄ，３２ｄ、室内側面３０ｅ，３１ｅ，３２ｅである。
【００１５】
前記建具枠３の各取付片３０ｂ，３１ｂ，３２ｂは、開口部２内の取付部２ｃに室内外側方向に向かう取付用ねじ６で固着され、その取付部分は水密材７で水密してある。
要するに、前記開口部２内の取付部２ｃは、開口部２の室外側面２ａよりも室内側寄りに、室外側に向かう取付面を開口部２の内周に沿って連続、例えば開口部２の４周に連続して有し、その取付面に各取付片３０ｂ，３１ｂ，３２ｂを水密材７を介して接し、室外側から取付用ねじ６を取付部に螺合して固着される。
【００１６】
前記建具枠３の各シール材受け部３０ｃ，３１ｃ，３２ｃと、開口部２の内周面２ｄにおける前記取付片の取付部分（取付部２ｃの取付面）よりも室外側寄りとの間には４周連続した隙間があり、その隙間にシール材８を設けて水密している。例えば、前記隙間に湿式のシール材を充填して水密している。
前記開口部２の内周面２ｄは、柱２０、上横材２１、下横材２２の内側面２０ｃ、２１ｃ、２２ｃである。
【００１７】
前記外壁材１０、内装材１１は、開口部２の外周面２ｅに取付けられて真壁納りとしてある。
前記開口部２の外周面２ｅは、柱２０、上横材２１、下横材２２の外側面２０ｄ，２１ｄ，２２ｄである。
【００１８】
このようであるから、開口部２の室外側面２ａ，室内側面２ｂは建具枠３、外壁材１０、内装材１１やシール材８で覆われることがなく、露出しているので、その開口部２を構成する木材の室外側面、室内側面が目視され、建具枠３の周囲に木材が見える外観、内観となり、木構造を基本とした建物として好ましい。
また、建具枠３の開口部２内の取付部分が水密材７で水密され、その取付部分よりも室外側寄りの建具枠３と開口部２との間がシール材８で水密されているので、建具枠３の取付部分から雨水等が室内側に浸入することがない。
【００１９】
また、建具枠３が開口部２内に収納して取付けてあるので、その建具枠３の変形、たわみが生じにくくなる。
【００２０】
また、各取付片３０ｂ，３１ｂ，３２ｂを水密材７を介して取付部２ｃの取付面に接し、取付用ねじ６を室外側から螺合することで建具枠３を開口部２内に取付けるようにすれば、その建具枠３を取付けた後にシール材８を設けることができ、建具枠３の取付け作業が容易である。
なお、各取付片３０ｂ，３１ｂ，３２ｂの室内側面には水密材取付用の凹部を有し、この凹部に水密材７を押し込んで取付けるようにしてある。
【００２１】
次に、各部の具体形状を説明する。
前記開口部２の内周面２ｄにおける室外側部分を４周連続して切欠き加工して室外側に開口した凹部２ｆを形成し、その凹部２ｆを前述の取付部２ｃとし、その底壁面（室外側に開口した面）を前述の取付部２ｃの取付面としてある。
例えば、柱２０、上横材２１、下横材２２の内側面２０ｃ，２１ｃ，２２ｃにおける室外側部を、鉤形状にそれぞれ切欠き加工して室外側に向かう段差部２３をそれぞれ形成し、この各段差部２３が４周連続して前述の凹部２ｆ（建具枠３の取付部２ｃ）を形成する。
【００２２】
そして、柱２０の段差部２３に縦枠３０の取付片３０ｂを水密材７を介して接し、その取付片３０ｂから取付用ねじ６を柱２０の段差部２３に螺合して縦枠３０を柱２０の内側面２ｃに取付ける。
前記上横材２１、下横材２２の段差部２３に上枠３１、下枠３２の取付片３１ｂ，３２ｂを水密材７を介してそれぞれ接し、その各取付片３１ｂ，３２ｂから取付用ねじ６を上横材２１、下横材２２の段差部２３にそれぞれ螺合して上枠３１、下枠３２を上横材２１、下横材２２の内側面２１ｃ，２２ｃにそれぞれ取付ける。
前記各段差部２３と各シール材受け部３０ｃ，３１ｃ，３２ｃとの間にシール材８を設けてシールする。
【００２３】
このように、柱２０、上横材２１、下横材２２の内周面２０ｃ，２１ｃ，２２ｃの室外側部を切欠き加工して段差部２３を形成し、その段差部２３を４周連続させることで建具枠３の取付部２ｃとすれば、あらかじめ柱２０、上横材２１、下横材２２を切欠き加工して段差部２３を形成し、その段差部２３を４周連続させることで建具枠３の取付部２ｃとすれば、あらかじめ柱２０、上横材２１、下横材２２を切欠き加工して取付部２ｃを形成することにより、施工現場においては取付用ねじ６を螺合することで建具枠３を開口部２に取付けできる。
【００２４】
この実施の形態においては、柱２０の内側面２０ｃ、上横材２１の内側面２１ｃは、前述した室外側の段差部２３と連続して中間の段差部２４をそれぞれ有し、この中間の段差部２４と室外側の段差部２３との間の部分に縦枠３０、上枠３１の本体部３０ａ，３１ａを取付けてある。
例えば、左右方向、上下に向かう取付用ねじ９で固着して取付けてある。
そして、前記中間の段差部２４に縦枠３０、上枠３１の室内側面３０ｅ，３１ｅがそれぞれ当接して室内外側方向の位置決めをできるようにしてあると共に、室内側から見た時に縦枠３０、上枠３１の室内側面３０ｅ，３１ｅが見えずに目立つことがなく、内観の見栄えが良い。
つまり、柱２０、上横材２１における中間の段差部２４よりも室内側の部分が縦枠３０、上枠３１の室内側面３０ｅ，３１ｅが当接する部分である。
【００２５】
要するに、この実施の形態の柱２０、上横材２１は、その内側面２０ｃ，２１ｃにおける室外側部を２段階に切欠き加工して室外側の段差部２３と中間の段差部２４を有すると共に、その中間の段差部２４は室外側の段差部２３よりも内側に位置している。
【００２６】
前記下枠３２の取付片３２ｂとともに水切り３３が取付用ねじ６で下横材２２の室外側の段差部２３に取付けてある。この水切り３３とシール材受け部３２ｃとの間にシール材８が設けてある。
この下枠３２の室内側面３２ｅには取付横片３２ｆが設けてあり、この取付横片３２ｆが床材３４に固着してある。
前記下横材２２は基礎３５の上に設けられ、土台としてあり、この下横材２２に左右の柱２０の下部が連結してある。
要するに、この実施の形態は出入口用の開口部２を示し、建具は引き違い窓としてある。
【００２７】
これに限ることはなく、建具は引き戸、ドアなどでも良いし、左右の柱２０の長手方向中間に上横材２２を連結して窓用の開口部とし、その開口部に開き窓などの建具を取付けるようにしても良い。
【００２８】
前述の実施の形態では柱２０、上横材２１の内側面２０ｃ，２１ｃの室外側部を２段階に切欠き加工して室外側の段差部２３と中間の段差部２４を形成し、その中間の段差部２４に縦枠３０、上枠３１の室内側面３０ｅ，３１ｅを当接したが、その中間の段差部２４を形成せずに、柱２０、上横材２１の内側面２０ｃ，２１ｃに内部見切材を取付け、この内部見切材に縦枠３０、上枠３１の室内側面３０ｅ，３１ｅを当接するようにしてもよい。
【００２９】
例えば、図４、図５に示す第２の実施の形態のように、柱２０、上横材２１の内側面２０ｃ，２１ｃの室外側部にのみ段差部２３を形成し、その段差部２３よりも室内側部分を凹凸のない平坦面とし、その柱２０、上横材２１の段差部２３と下横材２２の段差部２３とで凹部２ｆとして建具枠３の取付部２ｃとする。
前記柱２０、上横材２１の内側面２０ｃ，２１ｃにおける室内外側方向の中間に木材より成る縦見切材４０、横見切材４１をそれぞれ固着して取付ける。
この縦見切材４０の室外側面４０ａに縦枠３０の室内側面３０ｅの一部を当接すると共に、横見切材４１の室外側面４１ａに上枠３１の室内側面３１ｅの一部を当接し、その縦見切材４０、横見切材４１を縦枠３０、上枠３１の室内側面３０ｅ，３１ｅが当接する部分とする。
【００３０】
このようにすれば、縦・横見切材４０，４１の取付け位置を変更することで建具枠３の縦枠３０、上枠３１の室内外側方向の取付け位置を調整できる。
【００３１】
前述の各実施の形態では、柱２０、上横材２１、下横材２２の内側面２０ｃ，２１ｃ，２２ｃの室外側部を切欠き加工して段差部２３を形成して取付部２ｃとしたが、柱２０、上横材２１の内側面２０ｃ，２１ｃを切欠きせずに取付部２ｃを形成することができる。
【００３２】
例えば、図６と図７に示す第３の実施の形態のように、開口部２を構成する下横材２２の内側面２２ｃにおける室外側部を切欠き加工して段差部２３を形成する。
前記開口部２を構成する柱２０、上横材２１の内側面２０ｃ，２１ｃを室内外側方向に亘って凹凸の無い平坦面とし、その内側面２０ｃ，２１ｃの室内外側方向中間部に取付部材、例えば取付用縦下地材５０、取付用横下地材５１を固着して取付ける。例えば、ねじで固着する。
この取付用縦下地材５０の室外側面５０ａ、取付用横下地材５１の室外側面５１ａと前記下横材２２の段差部２３で前述の取付部２ｃとする。
そして、建具枠３を取付部２ｃに前述の第１の実施の形態と同様に固着して取付ける。
【００３３】
前記柱２０、上横材２１の内側面２０ｃ、２１ｃにおける取付用縦下地材５０、取付用横下地材５１の室内側面５０ｂ，５１ｂよりも室内側寄りに、覆部材、例えば縦カバー材５３、横カバー材５４をそれぞれ取付けて取付用縦下地材５０、取付用横下地５１材及び縦枠３０の室内側面３０ｅ、上枠３１の室内側面３１ｅを覆い、取付用縦下地材５０、取付用横下地材５１、縦枠３０、上枠３１が室内側から見えないようにする。
【００３４】
このようにすれば、柱２０の幅（左右方向の寸法）、上横材２１の幅（上下方向の寸法）を長手方向全長に亘って同一にできるので、柱２０の室外側面２０ａが建具枠３を取付けた部分と建具枠３を取付けていない部分において同一幅に見えるし、上横材２１の室外側面２１ａが長手方向に亘って同一幅に見えるから見栄えが良い。
また、取付用縦下地材５０、取付用横下地材５１の室内外方向の取付け位置を変更することで、建具枠３の室内外側方向の取付け位置を調整できる。
また、前記縦カバー材５３、横カバー材５４は内装材１１と同一仕上げとして、縦・横カバー材５３，５３と内装材１１が同一の見栄えとなるようにしてある。
【００３５】
この実施の形態においては、取付用縦下地材５０、取付用横下地材５１の室外側面５０ａ，５１ａと下横材２２の段差部２３を室内外側方向に同一位置とすることが好ましい。
また、柱２０の内側面２０ｃと取付用縦下地材５０との間、及び上横材２１の内側面２１ｃと取付用横下地材５１との間に雨水等が浸入しないようにすることが好ましい。
【００３６】
前述の実施の形態では、覆部材として縦カバー材５３、横カバー５４を用いたが、図８、図９に示す第４の実施の形態のように、縦見切材５５、横見切材５６を取付けても良い。
この縦見切材５５の室外側面５５ａに取付用縦下地材５０の室内側面５０ｂ、縦枠３０の室内側面３０ｅの一部を当接し、横見切材５６の室外側面５６ａに取付用横下地材５１の室内側面５１ｂ、上枠３１の室内側面３１ｅの一部を当接する。
【００３７】
要するに、覆部材（縦・横カバー材５３，５４、縦・横見切材５５，５６）は、取付部材（取付用縦・横下地材５０，５１）の室内側面を覆って取付部材が室内側から見えないようにすれば良い。
【図面の簡単な説明】
【００３８】
【図１】本発明の第１の実施の形態を示す建具部分の外観図である。
【図２】図１の拡大詳細横断面図である。
【図３】図１の拡大詳細縦断面図である。
【図４】第２の実施の形態を示す横断面図である。
【図５】第２の実施の形態を示す縦断面図である。
【図６】第３の実施の形態を示す横断面図である。
【図７】第３の実施の形態を示す縦断面図である。
【図８】第４の実施の形態を示す横断面図である。
【図９】第４の実施の形態を示す縦断面図である。
【符号の説明】
【００３９】
１…建物外壁体、２…開口部、２ｃ…取付部、３…建具枠、６…取付用ねじ、７…水密材、８…シール材、１０…外壁材、１１…内装材、２０…柱、２０ｃ…内側面、２１…上横材、２１ｃ…内側面、２２…下横材、２２ｃ…内側面、２３…段差部、２４…段差部、３０…縦枠、３０ａ…本体部、３０ｂ…取付片、３０ｃ…シール材受け部、３１…上横材、３１ａ…本体部、３１ｂ…取付片、３１ｃ…シール材受け部、３２…下横材、３２ａ…本体部、３２ｂ…取付片、３２ｃ…シール材受け部、４０…縦見切材（当接する部分）、４１…横見切材（当接する部分）、５０…取付用縦下地材（取付部材）、５１…取付用横下地材（取付部材）、５３…縦カバー材（覆部材）、５４…横カバー材（覆部材）、５５…縦見切材（覆部材）、５６…横見切材（覆部材）。
【図１】
0004868420.tif 000002
【図２】
0004868420.tif 000003
【図３】
0004868420.tif 000004
【図４】
0004868420.tif 000005
【図５】
0004868420.tif 000006
【図６】
0004868420.tif 000007
【図７】
0004868420.tif 000008
【図８】
0004868420.tif 000009
【図９】
0004868420.tif 000010